(57)【要約】【課題】紙幣収納部を装着するプッシャフレームの内側に、正取り付けまたは逆取り付けの用途に応じて異なる位置に設置して、紙幣収納部を傾動動作させるのに必要なリベット部品を不要にする。【解決手段】プッシャフレーム３１は、その長手方向側壁の対向する内面に第１ガイドピン３３および第２ガイドピン３４および第１係止部３５および第２係止部３６が長手方向の概略中央を中心に対称となる位置に有し、長手方向の向きを変えて、紙幣収納部をプッシャフレーム３１に装着しても、その取り外しや前傾動作を同じにすることができる。第１ガイドピン３３、第２ガイドピン３４、第１係止部３５および第２係止部３６をプッシャフレーム３１と一体に形成することで、付け替えの必要なリベット部品を不要にしている。【選択図】図１
2010113583.tif 000002
【特許請求の範囲】
【請求項１】
投入された紙幣を識別する紙幣識別部と、紙幣を収納する紙幣収納部と、識別された紙幣を前記紙幣収納部へ押し込むプッシャ部とを備え、前記紙幣収納部が前記プッシャ部のプッシャフレームに着脱可能に取り付けられている紙幣識別装置において、
前記プッシャフレームは、その長手方向に延びる側壁の内面に互いに対向して突設された、前記紙幣収納部の着脱のための、２対の第１および第２ガイドピンおよび第１および第２係止部を有し、
前記第１ガイドピンおよび前記第１係止部と前記第２ガイドピンおよび前記第２係止部とは、前記プッシャフレームの長手方向の概略中央を中心に対称となる位置にあり、かつ、前記第１および第２ガイドピンは、前記プッシャフレームの底部からの距離が同じ位置に設けられ、かつ、前記第１および第２係止部は、前記底部からの距離が同じ位置に設けられていることを特徴とする紙幣識別装置。
【請求項２】
前記第１および第２ガイドピンおよび前記第１および第２係止部は、前記プッシャフレームと一体に形成されている請求項１記載の紙幣識別装置。
【請求項３】
前記紙幣収納部は、そのフレームの長手方向に延びる側壁の外面に、前記プッシャフレームへの装着時に前記第１ガイドピンを受け入れて装着時における長手方向の動きを規制する固定リブ、前記プッシャフレームへ装着または前記固定リブのある側を前記プッシャフレームから引き起こすときに前記第２ガイドピンにガイドされて傾動することができるガイドリブ、および前記プッシャフレームに装着したときに前記第２係止部に係止されて前記プッシャフレームからの脱落を防止する脱落防止突起が突設され、さらに、前記外面より外側に突出して前記プッシャフレームに対する装着または引き起こしのときに前記第１係止部に対して係脱自在に動作するラッチ機構を有している請求項１記載の紙幣識別装置。
【発明の詳細な説明】
【技術分野】
【０００１】
本発明は紙幣識別装置に関し、特に自動販売機などにおいて投入された紙幣を識別して収納する処理を行う紙幣識別装置に関する。
【背景技術】
【０００２】
自動販売機では、その正面の扉の裏側に紙幣識別装置が取り付けられている。紙幣識別装置は、投入された紙幣を識別する紙幣識別部と、識別された紙幣を収納しておく紙幣収納部と、紙幣識別部を通過して紙幣収納部まで搬送されてきた紙幣を紙幣収納部へ押し込むプッシャ部とを備えている。紙幣識別装置は、その一端に紙幣識別部が配置され、他端側にはその紙幣識別部に隣接して紙幣収納部とプッシャ部とが重なり合った状態で配置され、紙幣識別部で識別された紙幣を紙幣収納部とプッシャ部との間に送り込むように構成されている（たとえば、特許文献１参照）。
【０００３】
紙幣収納部は、プッシャ部のプッシャフレームに着脱可能に取り付けられている。これにより、収納された紙幣は、紙幣収納部をプッシャフレームから取り外すことによって収納状態のまま回収することができる。紙幣収納部は、また、その上端側をプッシャフレームから引き起こすように手前に傾動させることによって上端面を露出させることができ、開放されている上端面から収納紙幣を抜き出すことによっても収納紙幣を回収できるようにしている。
【０００４】
紙幣識別装置は、自動販売機の内部の取り付けスペースの都合上、または、硬貨識別装置との組み合わせ配置の関係から、紙幣識別部を上にして取り付けられる正取り付けと、紙幣識別部を下にして取り付けられる逆取り付け（または倒立型取り付け）とがある。いずれの取り付けも、紙幣収納部は、収納紙幣を紙幣収納部の上側から抜き出すために、上端側をプッシャフレームから引き起こすように構成している。そのため、正取り付けでは、収納紙幣を抜き出す紙幣収納部の上側は、紙幣識別部の側に位置し、逆取り付けでは、紙幣識別部のある側とは反対側が紙幣収納部の上側になる。
【０００５】
紙幣収納部を傾動可能にするためには、傾動時のガイドおよびプッシャフレームからの脱落防止のためのリベットをプッシャフレームへ取り付けている。そのリベットの取り付け位置は、正取り付けの場合にはプッシャフレームの紙幣識別部のある側とは反対側になり、逆取り付けの場合はプッシャフレームの紙幣識別部のある側に変更される。
【特許文献１】特許第４１３６６０５号公報
【発明の開示】
【発明が解決しようとする課題】
【０００６】
しかしながら、同じ機種でありながら、リベットの取り付け位置の異なる紙幣識別装置を別途２種類用意する必要があるため、製造の管理上、非常に煩わしいという問題点があった。
【０００７】
本発明はこのような点に鑑みてなされたものであり、正取り付けまたは逆取り付けに応じて取り付け位置を変更していたリベット部品を必要としない紙幣識別装置を提供することを目的とする。
【課題を解決するための手段】
【０００８】
本発明では上記問題点を解決するために、投入された紙幣を識別する紙幣識別部と、紙幣を収納する紙幣収納部と、識別された紙幣を前記紙幣収納部へ押し込むプッシャ部とを備え、前記紙幣収納部が前記プッシャ部のプッシャフレームに着脱可能に取り付けられている紙幣識別装置において、前記プッシャフレームは、その長手方向に延びる側壁の内面に互いに対向して突設された、前記紙幣収納部の着脱のための、２対の第１および第２ガイドピンおよび第１および第２係止部を有し、前記第１ガイドピンおよび前記第１係止部と前記第２ガイドピンおよび前記第２係止部とは、前記プッシャフレームの長手方向の概略中央を中心に対称となる位置にあり、かつ、前記第１および第２ガイドピンは、前記プッシャフレームの底部からの距離が同じ位置に設けられ、かつ、前記第１および第２係止部は、前記底部からの距離が同じ位置に設けられていることを特徴とする紙幣識別装置が提供される。
【０００９】
このような紙幣識別装置によれば、第１および第２ガイドピンは、その一方が紙幣収納部をプッシャフレームに装着するときの固定用に使用され、他方が紙幣収納部を傾動するときのガイドおよび脱落防止用のストッパに使用され、第１および第２係止部は、装着時の紙幣収納部をプッシャフレームに固定するのに使用される。これにより、紙幣収納部をプッシャフレームへ装着するときの向きを変更しても、第１および第２ガイドピンは、その一方と他方の機能が変わるだけであり、また、正取り付けと逆取り付けとにおいて付け替える必要もない。
【発明の効果】
【００１０】
上記構成の紙幣識別装置は、プッシャフレームに装着するときの紙幣収納部の向きが正取り付けおよび逆取り付けの両方に対応しているので、正取り付けおよび逆取り付けの用途別に製造する必要がなく、同じ構成で、正取り付けおよび逆取り付けの両方に対応させることができるという利点がある。
【発明を実施するための最良の形態】
【００１１】
以下、本発明の実施の形態について、図面を参照して詳細に説明する。
図１は紙幣収納部を取り外した状態を示す紙幣識別装置の斜視図、図２は紙幣収納部を示す斜視図である。
【００１２】
紙幣識別装置は、図１に示したように、金属フレーム１０にユニット別に作られた各種機能部を取り付けて構成される。金属フレーム１０の正面側には、投入された紙幣を引き込んで内部へ搬送する紙幣投入ガイド部１１が設けられ、それに対応する裏面側には、紙幣識別部２０が設けられている。金属フレーム１０の裏面側では、紙幣識別部２０に隣接してプッシャ部３０が設けられている。紙幣識別装置は、そのプッシャ部３０に、図２に示した紙幣収納部４０を装着することによって完成される。
【００１３】
プッシャ部３０は、紙幣識別部２０の側を除く三方が側壁によって囲まれて紙幣収納部４０を装着することができるプッシャフレーム３１と、紙幣識別部２０から搬送されてきた紙幣を紙幣収納部４０に押し込むプッシャプレート３２とを備えている。
【００１４】
プッシャフレーム３１の長手方向に延びる側壁の内面には、互いに対向して１対の第１ガイドピン３３および１対の第２ガイドピン３４が突設されている。これら第１ガイドピン３３および第２ガイドピン３４は、プッシャフレーム３１の長手方向の概略中央を中心に対称となる位置にあり、かつ、プッシャフレーム３１の底部から同じ高さ位置に設けられている。
【００１５】
また、プッシャフレーム３１の長手方向に延びる側壁の内面には、第１ガイドピン３３よりも紙幣識別部２０の側に１対の第１係止部３５および第２ガイドピン３４よりも紙幣識別部２０の側とは反対の側に１対の第２係止部３６が突設されている。これら第１係止部３５および第２係止部３６は、プッシャフレーム３１の長手方向の概略中央を中心に対称となる位置にあり、かつ、プッシャフレーム３１の底部から同じ高さ位置に設けられている。さらに、第１係止部３５および第２係止部３６の外側には、プッシャフレーム３１の開口側に、その底部と平行な摺動面を有する軸摺動部３７が設けられている。
【００１６】
プッシャフレーム３１は、第１ガイドピン３３、第２ガイドピン３４、第１係止部３５、第２係止部３６および軸摺動部３７とともに樹脂により一体成形されており、これにより、第１ガイドピン３３および第２ガイドピン３４が用途に応じて付け替えられるということはない。
【００１７】
紙幣収納部４０は、紙幣が押し込まれる側とは反対側の裏面から見た図２に示したように、フレームの長手方向に延びる側壁の外面に固定リブ４１およびガイドリブ４２が突設されている。固定リブ４１およびガイドリブ４２は、プッシャフレーム３１の第１ガイドピン３３または第２ガイドピン３４と協働して紙幣収納部４０の装着時にプッシャフレーム３１内の所定位置まで紙幣収納部４０をガイドし、位置決めする機能を有する。特に、固定リブ４１は、第１ガイドピン３３または第２ガイドピン３４に係合されることによりプッシャフレーム３１内にてその長手方向の移動を規制する役目をする。ガイドリブ４２は、紙幣収納部４０の装着時または傾動時に第１ガイドピン３３または第２ガイドピン３４に接触しながら紙幣収納部４０がプッシャフレーム３１と干渉しないように紙幣収納部４０をガイドしたり、紙幣収納部４０が傾動できる角度を設定したりする役目をする。
【００１８】
また、紙幣収納部４０のフレーム側壁には、ガイドリブ４２に隣接して、プッシャフレーム３１の第１係止部３５または第２係止部３６と協働する脱落防止突起４３およびプッシャフレーム３１の軸摺動部３７と協働する回動軸４４が突設されている。さらに、固定リブ４１のガイドリブ４２がある側とは反対側のフレーム側壁に、プッシャフレーム３１の第１係止部３５または第２係止部３６と協働するラッチピン４５が円弧状の窓から突出するようにして設けられている。このラッチピン４５は、紙幣収納部４０の裏面に設けられたラッチ解除レバー４６とともにラッチ機構を構成し、通常は、支点４７を中心に回転するよう付勢されていて図示のように円弧状の窓の一端側に押し付けられている。ラッチピン４５は、また、ラッチ解除レバー４６を図の下方へ引き下げることにより、円弧状の窓の他端側に移動させることができる。
【００１９】
この紙幣収納部４０においても、そのフレームは、固定リブ４１、ガイドリブ４２、脱落防止突起４３、回動軸４４および紙幣収納部４０の底部４８とともに一体に樹脂成形されている。
【００２０】
以上の構成の紙幣識別装置によれば、紙幣投入ガイド部１１に紙幣が投入されると、図示しない紙幣搬送機構が動作して、投入紙幣を紙幣識別部２０へ向けて搬送する。紙幣は、紙幣識別部２０を通過する間に、金種と真贋の判定が行われ、識別できないときは、紙幣搬送機構の動作を逆転して紙幣投入ガイド部１１から紙幣を返却する。紙幣識別部２０で識別された紙幣は、紙幣収納部４０とプッシャ部３０のプッシャプレート３２との間の空間まで搬送され、その後、プッシャプレート３２によって紙幣収納部４０へ押し込まれ、紙幣収納部４０内にて積層収納される。
【００２１】
次に、紙幣収納部４０をプッシャ部３０のプッシャフレーム３１に装着するときの動作および装着されたままで紙幣回収を行うときの紙幣収納部４０の傾動動作を、紙幣識別部２０を上にして紙幣識別装置を取り付ける正取り付けの場合と、紙幣識別部２０を下にして紙幣識別装置を取り付ける逆取り付けの場合とについて説明する。
【００２２】
図３は正取り付け時の紙幣収納部の動作を説明する図であって、（Ａ）は紙幣収納部の装着状態を示し、（Ｂ）は紙幣収納部の傾動動作状態を示した図、図４は紙幣収納部を装着した正取り付け状態の紙幣識別装置を示す斜視図、図５は紙幣収納部を引き起こした正取り付け状態の紙幣識別装置を示す斜視図である。
【００２３】
紙幣収納部４０がプッシャフレーム３１に装着されている状態では、図３の（Ａ）に示したように、紙幣収納部４０のラッチピン４５および脱落防止突起４３は、プッシャフレーム３１の第１係止部３５および第２係止部３６に係止されて、プッシャフレーム３１から紙幣収納部４０が外れないようにしている。また、プッシャフレーム３１の第１ガイドピン３３および第２ガイドピン３４が紙幣収納部４０の固定リブ４１およびガイドリブ４２を挟むように当接してプッシャフレーム３１内でその長手方向に紙幣収納部４０が動かないようにしている。これにより、図４に示したように、紙幣識別装置は、紙幣収納部４０がプッシャフレーム３１に装着された状態を保持する。
【００２４】
紙幣識別装置から紙幣収納部４０を取り外すとき、またはプッシャフレーム３１から紙幣収納部４０を引き起こすときには、紙幣収納部４０のラッチ解除レバー４６を操作して、ラッチピン４５を第１係止部３５から外しながら、紙幣収納部４０を引き起こす。これにより、図３の（Ｂ）に示したように、第１ガイドピン３３が固定リブ４１から外れ、脱落防止突起４３が第２係止部３６から外れ、紙幣収納部４０は、ガイドリブ４２が第２ガイドピン３４の上に乗った状態で手前に傾動する。このとき、下端の回動軸４４が軸摺動部３７の摺動面に沿って上方へ移動するようにガイドリブ４２の形状が形成されているので、紙幣収納部４０は、手前に傾動するに従ってその下端部がプッシャフレーム３１に引っ掛かることなく持ち上げられることになる。
【００２５】
ここで、紙幣収納部４０を取り外す場合には、図３の（Ｂ）に示した傾動状態からさらに紙幣収納部４０を持ち上げながら、回動軸４４が第２ガイドピン３４をくぐり抜けるとともに紙幣収納部４０が第１ガイドピン３３に当たらないよう紙幣収納部４０を前傾していくことで、紙幣収納部４０をプッシャフレーム３１から抜き出すことができる。
【００２６】
また、紙幣収納部４０を手前に傾動させるときは、ラッチ解除レバー４６を操作して、ラッチピン４５を第１係止部３５から外した状態で放置すると、第２ガイドピン３４に乗った紙幣収納部４０は、自重により前傾していき、ガイドリブ４２のＵ字形状に形成された部分の底がストッパとなり、このストッパに第２ガイドピン３４が当接することによって傾動が止められる。これにより、紙幣識別装置は、図５に示したように、紙幣収納部４０が前傾姿勢を保った状態を保持する。この状態では、紙幣収納部４０の中に積層収納されている紙幣を上部開口部から容易に抜き取り、回収することができる。
【００２７】
傾動状態の紙幣収納部４０をその装着状態に戻すときは、その上部をプッシャフレーム３１内へ押し込むようにする。すると、ガイドリブ４２が第２ガイドピン３４に乗った状態で紙幣収納部４０が起立していき、固定リブ４１が第１ガイドピン３３にガイドされていく。その後、ラッチピン４５が第１係止部３５の傾斜部に沿って進んでいき、第１係止部３５の傾斜先端部を乗り越えると、第１係止部３５の凹部に引っ掛かり、そこに固定される。このとき、脱落防止突起４３が第２係止部３６の奥側から潜り込むように移動していき、第２係止部３６に係止される。これによって、紙幣収納部４０は、プッシャフレーム３１内に位置固定される。
【００２８】
図６は逆取り付け時の紙幣収納部の動作を説明する図であって、（Ａ）は紙幣収納部の装着状態を示し、（Ｂ）は紙幣収納部の傾動動作状態を示した図、図７は紙幣収納部を装着した逆取り付け状態の紙幣識別装置を示す斜視図、図８は紙幣収納部を引き起こした逆取り付け状態の紙幣識別装置を示す斜視図である。
【００２９】
紙幣収納部４０がプッシャフレーム３１に装着されている状態では、図６の（Ａ）に示したように、紙幣収納部４０のラッチピン４５および脱落防止突起４３は、プッシャフレーム３１の第２係止部３６および第１係止部３５にそれぞれ係止されて、プッシャフレーム３１から紙幣収納部４０が外れないようにしている。また、プッシャフレーム３１の第２ガイドピン３４および第１ガイドピン３３が紙幣収納部４０の固定リブ４１およびガイドリブ４２に当接して紙幣収納部４０がその長手方向に動かないようにしている。これにより、図７に示したように、紙幣識別装置は、紙幣収納部４０がプッシャフレーム３１に装着された状態を保持する。この逆取り付けにおいて、紙幣収納部４０の向きを変えてプッシャフレーム３１に装着できるのは、プッシャフレーム３１の第１ガイドピン３３および第２ガイドピン３４がプッシャフレーム３１の長手方向の概略中央を中心に対称配置され、第１係止部３５および第２係止部３６もプッシャフレーム３１の長手方向の概略中央を中心に対称となる位置にあって線対称となる形状を有していることによる。
【００３０】
紙幣収納部４０をプッシャフレーム３１から引き起こすときには、ラッチ解除レバー４６を操作して、ラッチピン４５を第２係止部３６から外し、紙幣収納部４０を手前に傾動させる。これにより、図６の（Ｂ）に示したように、第２ガイドピン３４が固定リブ４１から外れ、脱落防止突起４３が第１係止部３５から外れて、紙幣収納部４０は、手前に傾動し、図８に示したように、収納紙幣を回収可能な状態になる。
【図面の簡単な説明】
【００３１】
【図１】紙幣収納部を取り外した状態を示す紙幣識別装置の斜視図である。
【図２】紙幣収納部を示す斜視図である。
【図３】正取り付け時の紙幣収納部の動作を説明する図であって、（Ａ）は紙幣収納部の装着状態を示し、（Ｂ）は紙幣収納部の傾動動作状態を示した図である。
【図４】紙幣収納部を装着した正取り付け状態の紙幣識別装置を示す斜視図である。
【図５】紙幣収納部を引き起こした正取り付け状態の紙幣識別装置を示す斜視図である。
【図６】逆取り付け時の紙幣収納部の動作を説明する図であって、（Ａ）は紙幣収納部の装着状態を示し、（Ｂ）は紙幣収納部の傾動動作状態を示した図である。
【図７】紙幣収納部を装着した逆取り付け状態の紙幣識別装置を示す斜視図である。
【図８】紙幣収納部を引き起こした逆取り付け状態の紙幣識別装置を示す斜視図である。
【符号の説明】
【００３２】
１０  金属フレーム
１１  紙幣投入ガイド部
２０  紙幣識別部
３０  プッシャ部
３１  プッシャフレーム
３２  プッシャプレート
３３  第１ガイドピン
３４  第２ガイドピン
３５  第１係止部
３６  第２係止部
３７  軸摺動部
４０  紙幣収納部
４１  固定リブ
４２  ガイドリブ
４３  脱落防止突起
４４  回動軸
４５  ラッチピン
４６  ラッチ解除レバー
４７  支点
４８  底部
【図１】
2010113583.tif 000003
【図２】
2010113583.tif 000004
【図３】
2010113583.tif 000005
【図４】
2010113583.tif 000006
【図５】
2010113583.tif 000007
【図６】
2010113583.tif 000008
【図７】
2010113583.tif 000009
【図８】
2010113583.tif 000010